(57)【要約】【課題】  掃出し窓用外壁パネルの屋内側にある床下空間を効率良く換気できるようにし、しかも屋外の雨水が屋内側に流入することを防止することができる。【解決手段】  基礎１に土台金物８を介して壁用外壁パネル３を立設して、壁用外壁パネル３の下端と基礎１の上端との間に屋外空間１８と床下空間９とを連通させる換気用隙間１９を形成する。基礎１に壁用外壁パネル３に隣接する掃出し窓用外壁パネル２をその下端が壁用外壁パネル３の下端よりも下方に位置するように立設する。壁用外壁パネル３の下端部に壁用基礎見切り２０を取付ける。掃出し窓用外壁パネル２の下端部に窓用基礎見切り３４を取付ける。壁用基礎見切り２０の窓用基礎見切り３４よりも上方に突出した部分の窓用基礎見切り３４側の端部に該端部を覆う端部キャップ４８を取付ける。端部キャップ４８に換気用隙間１９と屋外空間１８とを連通させる換気用開口６３を形成する。【選択図】        図１
2005315028.tif 000002
【特許請求の範囲】
【請求項１】
基礎に土台金物を介して壁用外壁パネルを立設して、壁用外壁パネルの下端と基礎の上端との間に屋外空間と床下空間とを連通させる換気用隙間を形成し、前記基礎に壁用外壁パネルに隣接する掃出し窓用外壁パネルをその下端が壁用外壁パネルの下端よりも下方に位置するように立設し、壁用外壁パネルの下端部に前記換気用隙間の屋外側を覆う壁用基礎見切りを取付け、掃出し窓用外壁パネルの下端部に掃出し窓用外壁パネルの下端と基礎の上端との間を屋外側から覆う窓用基礎見切りを取付け、壁用基礎見切りの窓用基礎見切りよりも上方に突出した部分の窓用基礎見切り側の端部に該端部を覆う端部キャップを取付け、該端部キャップに前記換気用隙間と屋外空間とを連通させる換気用開口を形成して成ることを特徴とする床下換気構造。
【発明の詳細な説明】
【技術分野】
【０００１】
本発明は建物の床下換気構造に関する。
【背景技術】
【０００２】
従来から図７に示す建物の床下換気構造が知られている。このものは基礎１（布基礎）の平面視における外周部の一辺に屋内外方向に貫通する換気用孔８０を形成してあり、該換気用孔８０により床下空間９と屋外空間１８とを連通させて床下の換気を行っている（例えば特許文献１参照）。しかし図７に示す床下換気構造にあっては基礎１に換気用孔８０を設ける必要があるため、施工が煩雑となり、また外観も悪くなる。
【０００３】
また近年では上記問題を改善するために図２に示すような床下換気構造も知られている。このものは基礎１に土台金物８を介して建物の壁を形成する壁用外壁パネル３を立設し、これにより壁用外壁パネル３の下端と基礎１の上端との間に床下空間９と屋外空間１８に連通する換気用隙間１９を形成し、壁用外壁パネル３の下端部に前記換気用隙間１９の屋外側を覆う壁用基礎見切り２０を取付け、該壁用基礎見切り２０に屋外空間１８と前記換気用隙間１９とを連通させる換気孔３３を穿設してなり、これにより屋外空間１８を前記換気孔３３、換気用隙間１９を順に介して床下空間９に連通させることで床下の換気を行っている。ここで図２に示すような床下換気構造にあっては換気孔３３から雨水が屋内側に入らないようにするために、一般的に壁用基礎見切り２０の上部に屋外側突曲した突曲片２３を有し、該突曲片２３の下方に屋内側に凹む凹部３２を形成し、該凹部３２の奥面に上記換気孔３３を穿設してある。
【０００４】
ところで建物によっては基礎１に掃出し窓用開口を有する掃出し窓用外壁パネルを上記壁用外壁パネル３に隣接して立設する場合があり、この場合にも掃出し窓用外壁パネルの下端部には掃出し窓用外壁パネルの下端と基礎１の上端との間を屋外側から覆う窓用基礎見切りが取付けられている。一般的な窓用基礎見切りは、屋外側程下方に位置するように傾斜する水受け片と、該水受け片の屋内側の端から立ち上げた窓用基礎見切りの上端部に位置する縦片状の立上片とを備えており、このような窓用基礎見切りには前述した壁用基礎見切り２０のように換気孔が穿設されていない。これは窓用基礎見切りの水受け片に屋外空間と床下空間とを連通させる換気孔を穿設した場合、換気孔を介して屋外の雨水が屋内側に流入してしまうといった問題が生じてしまうからであるが、このように窓用基礎見切りに換気孔を穿設しないことは窓用基礎見切りの屋内側にある床下空間を効率良く換気できないことになる。
【０００５】
また上記窓用基礎見切りの立上片の上下方向の中間部を屋外側に突曲して突曲片を形成して該突曲片の下方に凹部を形成し、該凹部の奥面に換気孔を穿設することも考えられるが、このように凹部を形成することは実質的に不可能である。これは掃出し窓用外壁パネルはその下端が上記壁用外壁パネル３の下端よりも下方に位置するように立設されるものであるので、掃出し窓用外壁パネルの下端と基礎１の上端との間に上下寸法の充分に大きな隙間を形成することができず、従って立上片の上下寸法を前述したような中間部を屋外側に突曲できるような長さにできないからである。
【特許文献１】特開２００３−３２８４６０号公報
【発明の開示】
【発明が解決しようとする課題】
【０００６】
本発明は上記従来の問題点に鑑みて発明したものであって、窓用基礎見切りの屋内側にある床下空間を効率良く換気でき、しかも屋外の雨水が屋内側に流入することを防止できる床下換気構造を提供することを課題とする。
【課題を解決するための手段】
【０００７】
上記課題を解決するために本発明に係る床下換気構造は、基礎１に土台金物８を介して壁用外壁パネル３を立設して、壁用外壁パネル３の下端と基礎１の上端との間に屋外空間１８と床下空間９とを連通させる換気用隙間１９を形成し、前記基礎１に壁用外壁パネル３に隣接する掃出し窓用外壁パネル２をその下端が壁用外壁パネル３の下端よりも下方に位置するように立設し、壁用外壁パネル３の下端部に前記換気用隙間１９の屋外側を覆う壁用基礎見切り２０を取付け、掃出し窓用外壁パネル２の下端部に掃出し窓用外壁パネル２の下端と基礎１の上端との間を屋外側から覆う窓用基礎見切り３４を取付け、壁用基礎見切り２０の窓用基礎見切り３４よりも上方に突出した部分の窓用基礎見切り３４側の端部に該端部を覆う端部キャップ４８を取付け、該端部キャップ４８に前記換気用隙間１９と屋外空間１８とを連通させる換気用開口６３を形成して成ることを特徴とする。
【０００８】
このように壁用基礎見切り２０の窓用基礎見切り３４よりも上方に突出した部分の掃出し窓用外壁パネル２側の端部に取付けた端部キャップ４８に屋外空間１８と換気用隙間１９（即ち床下空間９）とを連通させる換気用開口６３を形成することで、換気用開口６３を窓用基礎見切り３４に最も近い箇所、即ち窓用基礎見切り３４の壁用基礎見切り２０側の端に配すことができ、該換気用開口６３により換気され難い窓用基礎見切り３４の屋内側の床下空間９を効率良く換気でき、しかも端部キャップ４８の上下寸法は充分な長さであるため該端部キャップ４８を前記換気用開口６３から雨水が屋内側に流入しない形状に形成できる。
【発明の効果】
【０００９】
本発明では換気され難い窓用基礎見切りの屋内側の床下空間を効率良く換気でき、しかも屋外の雨水が屋内側に流入することを防止できる。
【発明を実施するための最良の形態】
【００１０】
以下、本発明を添付図面に示す実施形態に基いて説明する。図１〜図６に本実施形態の床下換気構造を示す。建物の外周部の下方に位置する布基礎又は基礎の外周部から立ち上げた立上げ部（以下単に基礎１と称す）の平面視における一辺には、掃出し窓用開口を有する掃出し窓用外壁パネル２（図５参照）と該掃出し窓用外壁パネル２に隣接する開口を有さない壁用外壁パネル３（図２参照）とを立設してある。ここで図示は省略するが、本実施形態の基礎１には掃出し窓用外壁パネル２の基礎１の長手方向（即ち基礎１の外周部の平面視における一辺に沿う方向）における両側に壁用外壁パネル３を配置しているものとする。
【００１１】
まず各壁用外壁パネル３の基礎１への立設構造について説明すると、図２に示すように、基礎１の各壁用外壁パネル３の立設箇所には立上用金物７を基礎１の長手方向に間隔を介して複数載設してあり、これら複数の立上用金物７には各立上用金物７に跨るように上記壁用外壁パネル３を支持する基礎１の長手方向から見た断面形状がＬ字状の長尺な土台金物８を基礎１の長手方向と平行に直接載設している。これにより断面Ｌ字状の土台金物８の横片８ａが基礎１よりも上方に位置することとなり、従って土台金物８の横片８ａと基礎１の上端との間に、床パネル６ａ下方の床下空間９（即ち後述する壁用基礎見切り２０の屋内側にある床下空間９）に連通する換気用流路１０が複数形成される。ここで上記立上用金物７は、上下に離間した下横片及び上横片（図示せず）と、該下横片及び上横片を連結してなる連結縦片７ａと、からなるものであって、例えば屋内側方向から見た形状が、ロ字状、コ字状、Ｉ字状のものを用いる。
【００１２】
上記基礎１の壁用外壁パネル３の立設箇所には基礎１の長手方向と平行に床受金物４を直接載設している。床受金物４は、基礎１に直接載設した載設横片４ａと、載設横片４ａの屋内側の端より基礎１の屋内側の面に沿って垂下した連結片４ｂと、連結片４ｂの下端より屋内側に突出した床受横片４ｃと、で構成されており、この床受金物４の床受横片４ｃには鋼製大引５ａを介して床を構成する床パネル６ａを載設している。上記床受金物４の載設横片４ａ、立上用金物７の下横片及び上横片、更に土台金物８の横片８ａの夫々は、基礎１に植設したアンカーボルト１１の基礎１の上面から上方に突出した部分に挿通してあり、該アンカーボルト１１にナット１２を螺合することで基礎１に固定されているものとする。なお上記立上用金物７は基礎１に直接載設してあるか、又は前記床受け金物４の載設横片４ａ上に直接載設しているものとする。
【００１３】
上記土台金物８に立設してある壁用外壁パネル３は、屋内外方向から見て矩形枠状で木製の壁パネル枠１３と、壁パネル枠１３の屋外側の面に貼着されて屋外側から壁パネル枠１３の開口を覆う外装材１４と、壁パネル枠１３の屋内側の面に貼着されて屋内側から壁パネル枠１３の開口を覆う内装材１５と、外装材１４及び内装材１５間に配した断熱材１６とを有している。壁用外壁パネル３の上端部は図示しない梁に取付けられており、また該壁用外壁パネル３の屋外側の面は基礎１の屋外側の面よりも屋内側に位置している。壁用外壁パネル３の下面である壁パネル枠１３の下枠１３ａの下面には基礎１の長手方向と平行に伸びる嵌合溝１７を形成してあり、該嵌合溝１７に断面Ｌ字状の土台金物８の縦片８ｂの上端部を嵌入することで壁用外壁パネル３は土台金物８に支持されている。そしてこのように土台金物８を介して壁用外壁パネル３を立設することで壁用外壁パネル３の下端と基礎１の上端との間には壁用外壁パネル３の幅方向全長に亙って床下空間９と屋外空間１８とを連通させる換気用隙間１９が形成されている。
【００１４】
各壁用外壁パネル３の下端部には一体に形成された前記換気用隙間１９の屋外側を覆う長尺な壁用基礎見切り２０を取付けてあり、各壁用基礎見切り２０は壁用外壁パネル３の掃出し窓用外壁パネル２側の端部を除く幅方向全長に亙って設けてある。各壁用基礎見切り２０は長手方向全長に亙ってその断面形状が同じであり、長手方向における窓用基礎見切り３４側の端面は開口している。
【００１５】
上記各壁用基礎見切り２０は、上部を構成する水切り部２１と、下部を構成する水受け部２２とからなる。
【００１６】
水切り部２１は、略コ字状の突曲片２３と、該突曲片２３の下横片部２３ｃの屋内側の端から屋内側斜め下方に突出した水切り傾斜片２４とからなる。突曲片２３の上横片部２３ｂの屋内側の端には縦片状の固着片２５を上方に突設してあり、この壁用基礎見切り２０の上端部且つ屋内側の端部に設けた固着片２５を外装材１４よりも下方に突出した壁パネル枠１３の下枠１３ａの下部の屋外側の面に当接し、該固着片２５に屋外側から挿通したねじや釘等の固着具６６の端部を前記壁パネル枠１３の下枠１３ａの下部に固着することで、壁用基礎見切り２０は壁用外壁パネル３の下端部に基礎１の長手方向と平行に取付けられている。上記突曲片２３の上横片部２３ｂの屋内側の部分は屋外側の部分よりも段落しており、これにより壁用基礎見切り２０の上横片部２３ｂの上面に段部２６を形成している。また突曲片２３の屋外側片部２３ａの下端部は下横片部２３ｃよりも下方に突出しておりこの突出部分にて水切りが行われている。なお図２中２７は外装材１４の下端と上横片部２３ｂとの間に形成された隙間を埋めるシール材である。
【００１７】
水受け部２２は、屋外側程下方に位置するように傾斜した水受け部傾斜片２８と、水受け部傾斜片２８の屋外側の端から垂下した基礎１の屋外側の面を覆う覆い縦片２９と、覆い縦片２９の下部から屋内側に突出し覆い縦片２９と基礎１の屋外側の面の間に形成された隙間を覆う覆い横片３０とからなり、水受け部傾斜片２８の屋内側の端から立ち上げた縦片状の垂上片３１の上端は前記水切り部２１の水切り傾斜片２４の下端に接続されている。なお、図２中６８は水受け部傾斜片２８と基礎１の上端との間の隙間を埋めるシール材である。
【００１８】
上記壁用基礎見切り２０には下横片部２３ｃ及び水切り傾斜片２４及び水受け部傾斜片２８とで構成された屋内側に凹む水切り用の凹部３２を形成してあり、該凹部３２の奥面である水切り傾斜片２４の基礎１の長手方向における全長には屋内外方向に貫通する換気孔３３を基礎１の長手方向に間隔を介して複数穿設している。これにより屋外空間１８は、複数の換気孔３３、換気用隙間１９、換気用流路１０、を順に介して壁用基礎見切り２０の屋内側にある床下空間９に連通することとなり、これら複数の換気孔３３により壁用基礎見切り２０の屋内側にある床下空間９を換気できるようになっている。
【００１９】
次に図５に基づいて掃出し窓用外壁パネル２の立設構造について説明する。基礎１の掃出し窓用外壁パネル２の立設箇所には上記した基礎１の壁用外壁パネル３の立設箇所と同様、床受金物４及び立上用金物７及び掃出し窓用外壁パネル２を支持する土台金物８を載設している。床受金物４の床受横片４ｃには鋼製大引５ｂを介して床を構成する床パネル６ｂを載設している。ここで床パネル６ｂの上面と上記床パネル６ａの上面とは面一となっているものとし、この床パネル６ａと床パネル６ｂは一枚の床パネルにより構成してあっても良いものとする。また床パネル６ｂの下方の床下空間９、即ち後述する窓用基礎見切り３４の屋内側にある床下空間９は、前述した壁用基礎見切り２０の屋内側にある床下空間９に連通しているものとする。
【００２０】
上記土台金物８に立設してある掃出し窓用外壁パネル２は、屋内外方向から見て矩形枠状で木製の窓パネル枠３５と、屋内外方向から見て矩形枠状で中央に掃出し窓用開口を有し前記窓パネル枠３５内に嵌め込まれたサッシ枠３６とからなり、その上端部は図示しない梁に固設されている。サッシ枠３６内には後述するレール部３７に基礎１の長手方向において移動自在に戴置された引き違い戸となる複数枚の戸３８を嵌め込んでいる。サッシ枠３６の下枠であるサッシ下枠３９は、窓パネル枠３５の下枠４１の上面に載設した下枠本体４０と、下枠本体４０から上方に突出するレール部３７とで構成され、レール部３７の上端は床パネル６ｂの上面と面一となっている。下枠本体４０の屋外側の部分は窓パネル枠３５の下枠４１よりも屋外側に突出しており、この突出部分４０ａの下端は窓パネル枠３５の上面よりも下方に位置している。窓パネル枠３５の下枠４１の屋内側の面には、縦片４２ａの上端を下方に折り返してなる引掛け片４２の下半部を当接して固着しており、縦片４２ａの上部の屋内側にある折り返し部４２ｂを土台金物８の縦片８ｂに上方から引掛けることで、掃出し窓用外壁パネル２は土台金物８に支持されており、これにより掃出し窓用外壁パネル２の下端である下枠４１の下面は壁用外壁パネル３の下端である下枠１３ａの下面よりも下方に位置することとなる。ここで掃出し窓用外壁パネル２の下枠４１の下部はサッシ枠３６の突出部分４０ａの下端よりも下方に突出しているものとする。
【００２１】
上記掃出し窓用外壁パネル２の下端部には一体に形成された長尺な窓用基礎見切り３４を取付けてあり、該窓用基礎見切り３４により掃出し窓用外壁パネル２の下端と基礎１の上端との間を屋外側から覆っている。窓用基礎見切り３４は掃出し窓用外壁パネル２の幅方向全長に亙っており、その断面形状は壁用基礎見切り２０の水受け部２２と略同じである。詳しくは窓用基礎見切り３４の後述する立上片４３の上部を除く断面形状は水受け部２２の全ての部分の断面形状と同じである。
【００２２】
詳述すると、窓用基礎見切り３４は、屋外側程下方に位置するように傾斜した水受け傾斜片４４と、水受け傾斜片４４の屋外側の端から垂下した基礎１の屋外側の面を覆う覆い縦片４５と、覆い縦片４５の下部から屋内側に突出して覆い縦片４５と基礎１の屋外側の面の間に形成された隙間を覆う覆い横片４６とからなる。水受け傾斜片４４の屋内側の端には縦片状の立上片４３を立設してあり、この窓用基礎見切り３４の上端部で且つ屋内側の端に設けた立上片４３を掃出し窓用外壁パネル２の下枠４１の下部の屋外側の面に当接すると共に該立上片４３の上部に屋外側から挿通したねじや釘等の固着具６５の端部を前記下枠４１の下部に固着することで、窓用基礎見切り３４は掃出し窓用外壁パネル２の下端部に基礎１の長手方向と平行に取付けられている。なお図５中４７は窓用基礎見切り３４の水受け傾斜片４４と基礎１の上端との間の隙間を埋めるシール材であり、また６７は下枠本体４０の突出部分４０ａの下端と水受け傾斜片４４との間を埋めるシール材であり、これにより窓用基礎見切り３４の屋内側に雨水が流入することを防止している。
【００２３】
上記窓用基礎見切り３４とこの窓用基礎見切り３４の基礎１の長手方向における両側に配された壁用基礎見切り２０との間には図１に示すように継手４９が配されており、各継手４９の壁用基礎見切り２０側の端部は壁用基礎見切り２０の水受け部２２の窓用基礎見切り３４側の端部に接続されており、窓用基礎見切り３４側の端部は窓用基礎見切り３４の壁用基礎見切り２０側の端部に接続されている。
【００２４】
図４に示すように継手４９は、屋外側程下方に位置するように傾斜する傾斜片５１と、傾斜片５１の屋外側の端から垂下した垂下片５２とからなる。図６（ａ）に示すように継手４９の壁用基礎見切り２０側の端部における壁用基礎見切り２０側の端よりもやや内側に控えた箇所には内面側に突出した後壁用基礎見切り２０側に突出する突出片５０ａを設けてあり、これにより継手４９の壁用基礎見切り２０側の端部に壁用基礎見切り２０側に開口する断面コ字状の壁用基礎見切り嵌め込み溝部５３を形成してある。また継手４９の窓用基礎見切り３４側の端部における窓用基礎見切り３４側の端よりもやや内側に控えた箇所には内面側に突出した後窓用基礎見切り３４側に突出する突出片５０ｂを設けてあり、これにより継手４９の窓用基礎見切り３４側の端部に窓用基礎見切り３４側に開口する断面コ字状の窓用基礎見切り嵌め込み溝部５４を形成してある。また図４に示すように上記継手４９の傾斜片５１の屋内側端部には基礎１の長手方向における全長に亙って壁用外壁パネル３の下端部に沿う縦片状の立上片５１ａを立設してあり、さらに継手４９の垂下片５２の下端部には基礎１の長手方向における全長に亙って係止部５２ａを屋内側に突設してある。
【００２５】
ここで継手４９と壁用基礎見切り２０との接続は、継手４９の壁用基礎見切り２０側の端部に壁用基礎見切り２０の水受け部２２の窓用基礎見切り３４側の端部を内嵌し、同時に前記壁用基礎見切り嵌め込み溝部５３に壁用基礎見切り２０の水受け部２２の窓用基礎見切り３４側の端部を嵌め込み（図６（ａ）参照）、同時に係止部５２ａを壁用基礎見切り２０の覆い横片３０よりも下方に突出した覆い縦片２９の下端部に係止し、この後継手４９と壁用基礎見切り２０の接続部分にコーキング材を充填することで行われる。また継手４９と窓用基礎見切り３４との接続は、継手４９の窓用基礎見切り３４側の端部に窓用基礎見切り３４の壁用基礎見切り２０側の端部を内嵌し、同時に前記窓用基礎見切り嵌め込み溝部５４に窓用基礎見切り３４の壁用基礎見切り２０側の端部を嵌め込み（図６（ａ）参照）、この後、継手４９と窓用基礎見切り３４の接続部分にコーキング材を充填することで行われる。
【００２６】
そして図１等に示すように前述した各壁用基礎見切り２０の窓用基礎見切り３４よりも上方に突出した部分（即ち水切り部２１）の窓用基礎見切り３４側の端部には該端部を覆う端部キャップ４８を取付けている。
【００２７】
端部キャップ４８は基礎１の長手方向における長さが前述の継手４９と同じで、図１に示すようにキャップ本体５５と、キャップ本体５５の窓用基礎見切り３４側の端面開口を覆い延いては壁用基礎見切り２０の上部の窓用基礎見切り３４側の端面開口を覆う端面板部５６とからなり、端面板部５６はキャップ本体５５に一体に設けられている。
【００２８】
キャップ本体５５は図３、図４に示すように上側横片５５ａと、上側横片５５ａから屋外側斜め下方に突出した上傾斜片５５ｂと、上傾斜片５５ｂの下端から下方に突出する縦片５５ｃと、縦片５５ｃの下端から屋内側に突出する下側横片５５ｄとからなる屋外側に突曲した片状で、屋外側端部の下端部には縦片５５ｃと下側横片５５ｄとで構成された水切り用の水切角部５９を形成してある。図６（ｂ）に示すようにキャップ本体５５の上側横片５５ａの壁用基礎見切り２０側の端部における壁用基礎見切り２０側の端よりもやや内側に控えた箇所には下方に突出した後壁用基礎見切り２０側に突出する突片５７を設けてあり、これによりキャップ本体５５の壁用基礎見切り２０側の端部に壁用基礎見切り２０側に開口する断面コ字状の嵌め込み溝部６０を形成している。また図４に示すようにキャップ本体５５の上側横片５５ａの屋内側の端部には基礎１の長手方向にける全長に亙って係止突部６１を下方に突設しており、さらにはキャップ本体５５の下側横片５５ｄの屋内側の端には基礎１の長手方向にける全長に亙って屋内側斜め下方に突出する当て片６２を設けている。なお図３中５８は突片５７に設けた補強用のリブである。
【００２９】
即ち上記壁用基礎見切り２０の水切り部２１に端部キャップ４８を取付ける場合は、キャップ本体５５の壁用基礎見切り２０側の端部に壁用基礎見切り２０の水切り部２１（詳しくは突曲片２３）の掃出し窓用外壁パネル２側の端部を内嵌し、同時に前記嵌め込み溝部６０に壁用基礎見切り２０の上横片部２３ｂの掃出し窓用外壁パネル２側の端部を嵌め込み（図６（ｂ）参照）、同時に当て片６２を壁用基礎見切り２０の水切り傾斜片２４の屋内側の面に当接し、さらには係止突部６１を前記壁用基礎見切り２０の上横片部２３ｂの上面に設けた段部２６に係止し、この後端部キャップ４８のキャップ本体５５と壁用基礎見切り２０の接続部分にコーキング材を充填することで行う。
【００３０】
そして上記端部キャップ４８の下端には図４に示すように屋外空間１８と端部キャップ４８の屋内側にある換気用隙間１９とを連通させる換気用開口６３を形成している。具体的には端部キャップ４８の当て片６２を含む下側横片５５ｄと、継手４９の立上片５１ａを含む傾斜片５１とで端部キャップ４８に屋内側に凹む凹部６４を形成してあり、また継手４９の上端部である立上片５１ａの上端と端部キャップ４８の下端部である当て片６２の下端とを上下に離間しており、これにより凹部６４の奥面に換気用開口６３を形成してある。即ち該換気用開口６３は端部キャップ４８の基礎１の長手方向における全長に亙って形成されている。
【００３１】
上記のように本実施形態では、壁用基礎見切り２０の窓用基礎見切り３４側の端部に取付けられて窓用基礎見切り３４に最も近い位置に配される端部キャップ４８に、屋外空間１８と換気用隙間１９（即ち床下空間９）を連通させる換気用開口６３を形成することで、換気用開口６３が窓用基礎見切り３４の両端に配されることとなり、該換気用開口６３によって換気され難い窓用基礎見切り３４の屋内側にある床下空間９効率良く換気できる。しかも本実施形態では上記したように換気用開口６３をキャップ本体５５における水切角部５９よりも下位に形成してあるため、該換気用開口６３から屋内側に雨水が流入することを防止できる。
【００３２】
さらには端部キャップ４８の換気用開口６３を、壁用基礎見切り２０の下部の窓用基礎見切り３４側の端部と窓用基礎見切り３４の壁用基礎見切り２０側の端部とを接続する継手４９の上端部と端部キャップ４８の下端部との間に形成された隙間により構成してあるので、換気用開口６３を端部キャップ４８の基礎１の長手方向における全長に亙って形成することができ、より一層効率良く掃出し窓用外壁パネル２の屋内側の領域を換気できる。なお本実施形態では上記のように換気用開口６３を端部キャップ４８の下端に設けた例を示したが、例えば当て片６２を下方に延設すると共に該当て片６２の延設部に換気用開口６３となる孔を穿設する等、端部キャップ４８に換気用開口６３となる孔を穿設しても良いものとする。
【図面の簡単な説明】
【００３３】
【図１】本発明の実施の形態の一例の床下換気構造を示し、図は壁用外壁パネル及び掃出し窓用外壁パネル及び基礎の図示を省略した屋外側から見た斜視図である。
【図２】本発明の実施の形態の一例及び従来の壁用外壁パネルの立設構造を示す断面図である。
【図３】図１のＡ―Ａ´断面図である。
【図４】図１のＢ−Ｂ´断面図である。
【図５】同上の掃出し窓用外壁パネルの立設構造を示す断面図である。
【図６】（ａ）は図１のＣ−Ｃ´断面図であり、（ｂ）は図１のＤ−Ｄ´断面図である。
【図７】従来の床下換気構造を示す断面図である。
【符号の説明】
【００３４】
１  基礎
２  掃出し窓用外壁パネル
３  壁用外壁パネル
９  床下空間
１８  屋外空間
１９  換気用隙間
２０  壁用基礎見切り
４８  端部キャップ
６３  換気用開口
【図１】
2005315028.tif 000003
【図２】
2005315028.tif 000004
【図３】
2005315028.tif 000005
【図４】
2005315028.tif 000006
【図５】
2005315028.tif 000007
【図６】
2005315028.tif 000008
【図７】
2005315028.tif 000009